(57)【要約】【課題】  従来の電磁波を放射することを利用した健康用装身具は、金属や天然石やセラミック製のもがほとんどで、形が固定され利用の汎用性に問題があった。また電磁波を放射する金属や天然石やセラミックを繊維に混ぜ込んだり、挟み込むことで柔軟性のある製品も開発されているが、耐久力に問題があった。【解決手段】  本発明は、天然ゴムや合成ゴムといった弾性ゴム材料に、特定の周波数の共鳴電磁波を、特定の温度条件下で、一定時間照射することにより、当該弾性ゴム材料自体を，当該電磁波の転写体とし、当該弾性ゴム材料の環状や帯状やシート状の製品を体に装着することにより、血流の改善や疼痛緩和や運動能力の向上効果を発揮することを特徴とする弾性ゴム製健康器具とその製造方法を提供する。【選択図】図３
2015198886.tif 000002
【特許請求の範囲】
【請求項１】
天然ゴムや合成ゴムの弾性ゴム材料に、特定の周波数の共鳴電磁波を、特定の温度条件下で、一定時間照射することにより、当該材料を当該共鳴電磁波の転写体とし、当該材料を当該電磁波の発振源とすることを特徴とする弾性ゴム製の健康器具とその製造方法。
【請求項２】
請求項１に記載の特定の周波数は、３２〜３８テラヘルツであることを特徴とする弾性ゴム製健康器具とその製造方法。
【請求項３】
請求項１に記載の特定の温度条件は、摂氏２０度から４０度とすることを特徴とする弾性ゴム製健康器具とその製造方法。
【請求項４】
請求項１に記載の一定時間照射を、２〜１２時間とすることを特徴とする弾性ゴム製健康器具とその製造方法。
【発明の詳細な説明】
【技術分野】
【０００１】  本発明は、３２〜３８テラヘルツの共鳴電磁波を、天然ゴムや合成ゴムといった弾性材料に照射することにより、当該材料自体を当該共鳴電磁波の発振体とする健康器具とその製造方法を提供する。
【背景技術】
【０００２】  従来、血流を改善したり疼痛を緩和するために、遠赤外線電磁波を放射するセラミックや金属や天然石を混ぜ込んだり挟み込んだ繊維製の衣類やサポーターが使われたりしている。【０００３】  また同様に、マイナスイオンを放射するように複数の金属を組み合わせた腕輪や天然石やセラミック製の腕輪やネックレスといった装身具も開発されている。
【特許文献１】  特開２０１１−１４９１２６
【特許文献２】  特開２００９−１１９１７２
【特許文献３】  登録実用新案第３１００７６７
【特許文献４】  登録実用新案第３０１５１８４
【発明の概要】
【発明が解決しようとする課題】
【０００４】  従来の、健康改善用の装身具は、遠赤外線領域の電磁波を放射するセラミックや金属や天然石の粉末やシートを、繊維に混ぜ込んだり、挟み込んだりするものがほとんどで、製造方法が複雑となり、製造コストが高くなったり、耐久性に問題があった。【０００５】  また、耐久性を考慮して、遠赤外線領域の電磁波を放射する金属製やセラミックや天然石の腕輪やネックレスのような装身具も開発されているが、形状が固定されるため、使用上の汎用性に問題があった。
【課題を解決するための手段】
【０００６】  このような課題を解決するために本発明者は、３２〜３８テラヘルツの共鳴電磁波を、２〜１２時間、２０℃〜４０℃の温度条件下で、天然ゴムや合成ゴムといった弾性ゴム材料に照射することで、当該弾性ゴム材料自体が当該共鳴電磁波の転写体となり、自らが当該共鳴電磁波の発射体となることを見出し、本発明をなすに至った。【０００７】  すなわち、本発明では、３２〜３８テラヘルツの共鳴電磁波を放射する物質と、天然ゴムや合成ゴムといった弾性ゴム材料を近接させ、２０℃〜４０℃の温度条件下で、２〜１２時間放置し、当該共鳴電磁波の放射体から発射される電磁波を、当該弾性ゴム材料に転写し、共振作用により、当該弾性ゴム材料自体を当該共鳴電磁波の放射体とする。【０００８】  天然ゴムや合成ゴムといった弾性ゴム材料自体を共鳴電磁波の放射体とすることで、当該弾性ゴム材料を環状または帯状またはシート状とし簡単に身に付けることができ、体内に３２〜３８テラヘルツの共鳴電磁波を照射することができる。【０００９】  また、弾性ゴム材料から放射される共鳴電磁波の周波数を３２〜３８テラヘルツとすることで、細胞や血液の水素結合を共振励起して分離することができ、血流の改善や細胞の活性化に役立ち、疼痛緩和に効果がある。
【発明の効果】
【００１０】  本発明によれば、効果が明確で持続性の高い３２〜３８テラヘルツの共鳴電磁波を放射する天然ゴムや合成ゴムといった弾性ゴム製の健康器具を提供できる。【００１１】  本発明による弾性ゴム製健康器具から放射される３２〜３８テラヘルツの共鳴電磁波は、体内に透過して、血液やリンパ液や細胞に照射される。【００１２】  当該電磁波は、血液や細胞やリンパ液の水分の水素結合を共振励起し、当該水素結合を分離する。そして当該水素結合から放出された電子が高速で移動し、他の原子や分子と衝突することにより次々とカスケード的に電子（マイナスイオン）が大量に放出され、血流やリンパ液の流れを改善するとともに、細胞を活性化し、細胞やリンパ液や血液の酸化による劣化を防止する。【００１３】  また、当該電磁波の３２〜３８テラヘルツの周波数は、神経電子の流れを円滑にし、神経の伝播速度を高めることで、身体のバランスを良くし、運動能力を高めることができる。【００１４】  また、当該電磁波の放射体を弾性ゴム材料製の環状や帯状やシート状とすることで、サイズや取り付け場所に制限されることなく、簡単に身につけることができる。
【発明を実施するための形態】
【００１５】  以下、本発明の実施形態について図面を参照しながら詳細に説明する。
図１は、共鳴電磁波を弾性ゴム材料製品に照射する装置の概念の縦断面を示す。
図２は、図２のＡ矢視を示す。
図３は、本発明の弾性ゴム製健康器具の作用の概念を示す。
【００１６】  図１及び図２に示すように、共鳴電磁波発振体１を、天然ゴムや合成ゴムといった弾性ゴム製材料２に密着するようにして配置し、当該発振体１から放射される３２〜３８テラヘルツの共鳴電磁波３を当該弾性ゴム製材料２に２〜１２時間照射する。
【００１７】  当該共鳴電磁波発振体１の上または下または両方には２０℃〜４０℃の温度調節が可能な面ヒーター４が設けられていて、３２〜３８テラヘルツの共鳴電磁波３を当該弾性ゴム製材料２に効率良く放射できる。
【００１８】  当該電磁波３を、規定温度条件下で、規定時間照射された当該弾性ゴム製材料２は、当該弾性製ゴム材料２を構成する分子の軌道を回る電子が共振励起され、当該弾性ゴム製材料自体が、共鳴電磁波３の発振源となり、様々な共鳴電磁波効果を発揮する弾性ゴム製健康器具１２となる。
【００１９】  当該弾性ゴム製健康器具１２を、体１１につけると、当該弾性ゴム製健康器具１２から放射される共鳴電磁波１３で、体１１の内部の水分子クラスター１４の水素結合が、共振励起され、水素結合が分離され、電子１５が放出される。水素結合の分離により放出された電子１５は高速で移動し、次々と分子や原子と衝突し、カスケード的に大量に電子が放出され、その電子による還元作用により、血液やリンパ液や細胞の酸化劣化が防止され、血流やリンパ液の流れが改善される。
【００２０】  また、当該弾性ゴム製健康器具１２から放射される共鳴電磁波１３は、細胞を柔軟にし、血流やリンパ液や神経の流れを円滑にするため、疼痛を緩和する、身体バランスを高め運動能力を向上させる。
【００２１】  さらに、当該弾性ゴム製健康器具１２から放射される共鳴電磁波１３は、神経電子の伝播を円滑にし、身体バランスを高め運動能力を向上させる。
【実施例】
【００２２】  数多くの人たちの使用テストを通して下記の効果が確認されている。
＊血流改善効果  ：本発明の弾性ゴム製腕輪を装着して血液検査を行ったところ、ほと                    んどのケースでどろどろ状態の血液が改善されることが確認された                    。
＊疼痛緩和      ：本発明の弾性ゴム製ベルトやシートを、肩こりや腰痛の人の患部に                    装着したところ、ほとんどのケースで、疼痛が緩和されることが確                    認された。
＊運動能力向上  ：本発明の弾性ゴム製ベルトやシートを、膝や肘や手首のサポーター                    として装着したところ、ほとんどのケースで、身体のバランスが良                    くなり、心肺機能が向上し、運動能力が向上することが確認された                    。
【産業上の利用可能な分野】
【００２３】  本発明は、血流改善や疼痛緩和の健康効果だけでなく、身体バランスの改善や心肺機能の向上効果もあるため、用途が広範囲にわたる。
【図面の簡単な説明】
【００２４】
【図１】は、共鳴電磁波を天然ゴムや合成ゴムといった弾性ゴム材料に照射する装置の概念の縦断面を示す。
【図２】は、図２のＡ矢視を示す。
【図３】は、本発明の弾性ゴム製健康器具の作用の概念を示す。
【符号の説明】
【００２５】１    共鳴電磁波発振体
２    弾性ゴム製材料
３    共鳴電磁波
４    面ヒーター
１１  体
１２  弾性ゴム製健康器具
１３  共鳴電磁波
１４  水分子クラスター
１５  電子
【図１】
2015198886.tif 000003
【図２】
2015198886.tif 000004
【図３】
2015198886.tif 000005